(57)【特許請求の範囲】
【請求項１】
オン・オフの操作ができる操作者が定められている設備であることを示す操作限定番号がそれぞれ設定されている重要な設備を含む複数の設備と、オン・オフの操作をしたい設備番号を入力する操作手段と、個人特有のデータを入力する個人データ入力装置と、上記操作限定番号及び上記操作限定番号が設定されている重要な設備のオン・オフの操作を許可する個人データを登録した登録データベースと、この登録データベースに上記入力された設備番号を有する設備に上記操作限定番号が設定されているか否かを判定し、上記操作限定番号が設定されていると、上記入力された個人データと上記登録された個人データとを比較して、両者の一致を判定する比較照合手段と、この比較照合手段により上記両者の一致が確認されないと上記操作限定番号が設定された重要な設備へのオン・オフ操作を不許可とする発停制御手段とを備えてなる設備の監視装置。
【請求項２】
登録データベースには、操作限定番号ごとに、それらの設備の操作を許可する個人データを登録するものとしたことを特徴とする請求項１記載の設備の監視装置。
【請求項３】
登録データベースには、複数の操作限定番号に対し、それらの設備の操作を許可する個人データを共通に登録するものとしたことを特徴とする請求項１記載の設備の監視装置。
【請求項４】
個人データ入力装置として、指紋を入力する指紋入力装置又は個人識別カードを入力するカード入力装置を用いるものとしたことを特徴とする請求項１〜請求項３のいずれかに記載の設備の監視装置。
【発明の詳細な説明】
【０００１】
【発明の属する技術分野】
この発明は、設備機器のオン・オフ操作を監視する装置に関するものである。
【０００２】
【従来の技術】
従来、建物内の照明設備、空調設備等の動作状態を集中管理して、それらの設備のオン・オフを制御することが行われている。そして、重要な設備のオン・オフ操作に対しては、操作確認を問合せた後に、操作を実行するようにしている。
【０００３】
【発明が解決しようとする課題】
上記のような従来の設備の監視装置では、重要な設備に対しては、確認後操作を実行するようにしているため、監視装置が操作できる状態であれば、特別な制限なしに操作することができるという問題点がある。
【０００４】
この発明は上記問題点を解消するためになされたもので、重要な操作に対しては操作者を限定することができるようにした設備の監視装置を提供することを目的とする。
【０００５】
【課題を解決するための手段】
この発明の第１発明に係る設備の監視装置は、オン・オフの操作ができる操作者が定められている設備であることを示す操作限定番号がそれぞれ設定されている重要な設備を含む複数の設備と、オン・オフの操作をしたい設備番号を入力する操作手段と、個人特有のデータを入力する個人データ入力装置と、上記操作限定番号及び上記操作限定番号が設定されている重要な設備のオン・オフの操作を許可する個人データを登録した登録データベースと、この登録データベースに上記入力された設備番号を有する設備に上記操作限定番号が設定されているか否かを判定し、上記操作限定番号が設定されていると、上記入力された個人データと上記登録された個人データとを比較して、両者の一致を判定する比較照合手段と、この比較照合手段により上記両者の一致が確認されないと上記操作限定番号が設定された重要な設備へのオン・オフ操作を不許可とする発停制御手段とを備えたものである。
【０００６】
また、第２発明に係る設備の監視装置は、第１発明のものにおいて登録データベースには、操作限定番号ごとに、それらの設備の操作を許可する個人データを登録するようにしたものである。
【０００７】
また、第３発明に係る設備の監視装置は、第１発明のものにおいて登録データベースには、複数の操作限定番号に対し、それらの設備の操作を許可する個人データを共通に登録するようにしたものである。
【０００８】
また、第４発明に係る設備の監視装置は、第１〜第３発明のものにおいて、個人データ入力装置として、指紋を入力する指紋入力装置又は個人識別カードを入力するカード入力装置を用いるようにしたものである。
【０００９】
【発明の実施の形態】
実施の形態１．
図１〜図３は、この発明の第１、第２及び第４発明の一実施の形態を示す図で、図１は全体構成図、図２は登録データベースの内容図、図３は動作フローチャートであり、図中同一符号は同一部分を示す。
【００１０】
図１において、１は監視センタ等に設置された監視装置、２は個人データ入力装置を構成する指紋入力装置、３は同じくカード入力装置、４は登録指紋データ又は登録カードデータが記録された登録データベース（詳細後述）、５Ａ〜５Ｄは設備機器であり、監視装置１は以下の各手段６〜１１を有している。すなわち、６はＣＲＴ等の表示器を含む表示手段、７は表示手段６に接続されたキーボード、マウス等を含む操作手段である。
【００１１】
８は指紋入力装置２及びカード入力装置３に接続され、入力されたデータを読み込む読込み手段、９は登録データベース４に接続され、記録されたデータを取得する取得手段、１０は読込み手段８及び取得手段９に接続され、データを照合する比較照合手段、１１は操作手段７及び比較照合手段１０に接続され設備５Ａ〜５Ｄをオン・オフ制御する発停制御手段である。
【００１２】
図２において、登録データベース４には、操作限定番号（設備番号）ごとに操作者限定データテーブルが設定されている。操作限定番号とは、発停操作ができる操作者が定められている設備であることを示す番号であり、操作限定番号ごとに操作者限定テーブルを有している。ここでは、操作限定番号１（設備番号１）に対する操作者限定データテーブル１には、操作ができる操作者として、個人番号１〜個人番号３が登録されている。
【００１３】
操作限定番号２（設備番号２）に対する操作者限定データテーブル２には、操作ができる操作者として、個人番号１及び個人番号２が登録されている。また、操作限定番号３（設備番号３）に対する操作者限定データテーブル３には、操作ができる操作者として、個人番号１が登録されている。なお、個人番号１〜３は各操作者の指紋データかカードデータである。
【００１４】
次に、この実施の形態の動作を図３を参照して説明する。
まず、操作者は監視装置１の操作手段７により、発停操作したい設備番号を入力する。
ステップＳ１で登録データテーブル４を検索し、上記入力された設備番号を有する設備に操作限定番号が設定されているかを判定する。操作限定番号が設定されていなければ、ステップＳ９へ飛んで操作可能とする。
【００１５】
操作限定番号が設定されていれば、ステップＳ２へ進み、操作限定番号に対応した操作者限定データが存在するかを判定し、存在していなければ、ステップＳ９へ飛んで操作可能とする。操作者限定データが存在すれば、ステップＳ３へ進む。ステップＳ３では、指紋入力装置２に指を置くか、又はカード入力装置３に個人カードを操作することを表示手段７により表示する。操作者がこれに応じれば、読込み手段８は指紋データ又はカードデータを読み込む。
【００１６】
ステップＳ４で取得手段９は該当する操作者限定データテーブルを検索し、操作者限定データの先頭データを参照する。ステップＳ５で該当操作者限定データをすべてチェックしたかを判定し、すべてをチェックしていなければステップＳ６へ進み、該当操作者限定データの個人番号から登録指紋データ又は登録カードデータの情報を取得する。ステップＳ７で比較照合手段１０は指紋入力装置２又はカード入力装置３から入力されたデータと登録データとを照合し、両者が一致したかを判定する。
【００１７】
両者が一致すればステップＳ９へ進んで操作可能となり、これが表示装置６により表示される。一致していなければ、ステップＳ８へ進み、該当操作者限定データの次のデータを参照してステップＳ５へ戻り、ステップＳ５〜Ｓ８を繰り返し、該当操作者限定データをすべてチェックしても、一致が確認されないとステップＳ５からステップＳ１０へ進み、操作不可とする。
上記処理により操作可能となれば、操作者は操作手段７により、該当設備の発停操作の入力が可能となる。
【００１８】
ここで、ステップＳ３〜Ｓ８は比較照合手段１０を、ステップＳ９、Ｓ１０は発停制御手段１１を構成している。
このようにして、登録データベース４に操作限定番号が設定されていると、指紋入力装置２又はカード入力装置３から入力された個人データと、登録データベース４に登録された個人データとを比較し、その結果により設備５Ａ〜５Ｄのオン・オフ操作を許可又は不許可とするようにしたため、重要な設備の操作に対して、操作できる者が限定され、警備性を向上することが可能となる。
【００１９】
また、複数の設備５Ａ〜５Ｄのそれぞれに操作者限定データテーブルが設定されているため、複数の操作をする操作者は、どの操作に対しても同じ動作（指紋照合又はカード照合）をすればよく、操作性を向上することが可能となる。
【００２０】
実施の形態２．
図４はこの発明の第３発明の一実施の形態を示す登録データベースの内容図である。なお、図１及び図３は実施の形態２にも共用する。
この登録データベース４Ａには、複数の操作限定番号（設備番号１，２）に対し、共通な操作者限定テーブル１が設定されている。これ以外は図２と同様である。
【００２１】
このようにして、例えば２つの設備５Ａ，５Ｂとも、同じ操作者限定テーブル１を共用しているため、１つの操作者限定テーブル１で２つの設備５Ａ，５Ｂを発停操作することが可能となる。すなわち、操作者限定テーブルを１つ省略することができ、データ設定効率（データに使用する記憶容量）の向上が可能となる。
【００２２】
その他の実施の形態．
以下のように実施することも可能である。
（１）上記各実施の形態では、操作限定番号が設定されていないとき、及び操作限定番号に対応した操作者限定データが存在していないとき、操作可能としているが、これを操作不可とする。
（２）指紋入力装置２又はカード入力装置３を用いるものとしているが、他の形式の個人データ入力装置を用いる。
【００２３】
【発明の効果】
以上説明したとおりこの発明の第１発明では、登録データベースに入力された設備番号を有する設備に操作限定番号が設定されているか否かを判定し、操作限定番号が設定されていると、個人データ入力装置から入力された個人データと、登録された個人データとを比較して、両者の一致を判定し、両者の一致が確認されないと上記操作限定番号が設定された重要な設備へのオン・オフ操作を不許可とするようにしたので、重要な設備の操作に対して、操作できる者が限定され、警備性を向上することができる。
【００２４】
また、第２発明では、登録データベースには、操作限定番号ごとに、それらの設備の操作を許可する個人データを登録するようにしたので、複数の操作をする操作者は、どの操作に対しても同じ動作をすればよく、操作性を向上することができる。
【００２５】
また、第３発明では、登録データベースには、複数の操作限定番号に対し、それらの設備の操作を許可する個人データを共通に登録するようにしたので、操作者限定テーブルの省略ができ、データ設定効率の向上ができる。
【００２６】
また、第４発明では、個人データ入力装置として、指紋入力装置又はカード入力装置を用いるようにしたので、重要な設備の操作に対して、操作できる者が限定され、警備性を向上することができる。
【図面の簡単な説明】
【図１】  この発明の実施の形態１を示す全体構成図。
【図２】  この発明の実施の形態１を示す登録データベースの内容図。
【図３】  この発明の実施の形態１を示す動作フローチャート。
【図４】  この発明の実施の形態２を示す登録データベースの内容図。
【符号の説明】
１  監視装置、  ２  個人データ入力装置（指紋入力装置）、  ３  個人データ入力装置（カード入力装置）、  ４，４Ａ  登録データベース、５Ａ〜５Ｄ  設備、
６  表示手段、  ７  操作手段、  ８  読込み手段、  ９  取得手段、  １０比較照合手段、  １１  発停制御手段。
Ｓ３〜Ｓ８  比較照合手段、  Ｓ９，Ｓ１０  発停制御手段。
【図１】
0003980410.tif 000002
【図２】
0003980410.tif 000003
【図３】
0003980410.tif 000004
【図４】
0003980410.tif 000005